(57)【特許請求の範囲】
【請求項１】
積層された枚葉紙の第一端部を第一ローラ対で挟みつつ、その第一ローラ対の一方を他方の軸線回りに旋回させて枚葉紙の片面側にその第一端部を反らしめ、その状態にして該第一端部に対向する枚葉紙の第二端部を第二ローラ対で挟み、この第二ローラ対の一方を他方の軸線回りに旋回させてその相互間に挟まれる枚葉紙の第二端部を前記第一端部と同面側に反らしめるとともに、その第二端部が第二ローラ対の間から全て抜け出すまで第二ローラ対の一方を他方の軸線回りに旋回させることを特徴とする枚葉紙の捌き方法。
【請求項２】
上部ローラと下部ローラとを備える左右一対のローラユニットと、この両ローラユニットを左右方向に相対移動させてその間隔を調整可能とするユニット間隔調整機構と、両ローラユニット内でそれぞれ上部ローラ及び下部ローラを相対移動させてその間隔を調整可能とするローラ間隔調整機構と、両ローラユニットにおける上部ローラ及び下部ローラの何れか一方を他方の軸線回りに回転移動させるローラ旋回機構とを具備して成る枚葉紙の捌き装置。
【請求項３】
上部ローラと下部ローラとを備える左右一対のローラユニットと、この両ローラユニットをそれぞれ上下方向に移動させるためのユニット昇降機構と、両ローラユニットをそれそれ左右方向に移動させてその間隔を調整可能とするユニット間隔調整機構と、両ローラユニット内でそれぞれ下部ローラを上部ローラの半径方向に移動させて該上部ローラと下部ローラとの間隔を調整可能とするローラ間隔調整機構と、両ローラユニットの下部ローラをそれぞれ上部ローラの軸線回りに回転移動させるローラ旋回機構とを具備して成る枚葉紙の捌き装置。
【請求項４】
積層された枚葉紙を支持する左右一対の可動テーブルを備え、この可動テーブルが左右一対のローラユニットの外側を待機位置として、それぞれ上部ローラと下部ローラとの間に向けて水平移動可能に設けられる請求項１、又は２記載の枚葉紙の捌き装置。
【請求項５】
可動テーブルの上方に左右一対のキャリヤがそれぞれ左右方向に移動可能にして設けられ、そのキャリヤにそれぞれ枚葉紙の端部を保持する昇降可能なクランプが設けられる請求項４記載の枚葉紙の捌き装置。
【請求項６】
ローラ旋回機構は、下部ローラの軸線方向両側にあって該下部ローラを上部ローラの軸線回りに回転移動可能に吊支する揺動アームと、この揺動アームを揺動させるための旋回用モータとを有して構成されるとともに、ローラ間隔調整機構は下部ローラを保持する軸受台を前記揺動アームに沿って上部ローラの半径方向に移動させる送りネジと、この送りネジを回転駆動させるためのローラ間隔調整モータとを具備して構成される請求項１、又は２記載の枚葉紙の捌き装置。
【発明の詳細な説明】
【０００１】
【発明の属する技術分野】
本発明は、積層された印刷物などを解きほぐしてそのブロッキングを除去する技術に係わり、特に枚葉紙が数枚重なったまま供給されるなどブロッキングによる弊害を未然に防止することのできる枚葉紙の捌き方法と捌き装置に関する。
【０００２】
【従来の技術】
一般に、印刷を施すなどした枚葉紙は多層状に積み重ねられ、その後で検査工程や所定の処理工程に一枚ずつ給紙されるが、積層された枚葉紙はその自重や外圧、更には印刷インクの粘性などにより互いに密着して分離し難くなる。このような現象をブロッキングといい、これは印刷インクの量や種類、又は紙質によって程度に差はあるが、数千枚以上の枚葉紙を重ねたものではその発生が著しく、枚葉紙同士の接着力は非常に強固なものとなる。
【０００３】
そこで、そのようなブロッキングを除去する装置として、図９に示すような捌き装置（特開平６−１４５６号）が既に実用化されている。図示するように、この装置は概して一つの大径ローラＲと二つの小径ローラｒから成り、その小径ローラｒが積層された枚葉紙Ｐを介して大径ローラＲの回りを互いに逆向きに旋回するようになっている。そして、これによれば、小径ローラｒの接触圧により枚葉紙Ｐが大径ローラＲを中心に湾曲され、これによってブロッキングが解消されるとする。
【０００４】
しかし、このような装置では大径ローラＲの外周面に沿って枚葉紙全体を湾曲させるにすぎないのでブロッキングを完全に解消することは難しく、特に枚葉紙同士の密着力が強固な場合には、これが図１０のように波打って両端が全く捌かれないことがある。
【０００５】
一方、その他の捌き装置として、図１１に示すような機種（特開平６−５６３４１号）も知られる。この装置は、枚葉紙Ｐの中央部を挟む中央ローラＲＡと、同枚葉紙の両端部を挟むサイドローラＲＢとを有し、中央ローラＲＡ及びサイドローラＲＢの少なくとも一方が枚葉紙Ｐの積層方向に沿って移動可能とされる。
【０００６】
【発明が解決しようとする課題】
然し乍ら、図１１のような装置も他の従来装置と同じく枚葉紙を全体的に湾曲させるのでその変形量が比較的小さく、ブロッキングを完全に解消できないことがあり、しかも枚葉紙の両端部がサイドローラでクランプされることから、枚葉紙を湾曲させたときに内周側の枚葉紙が逃げ場を失って波打ち現象を生ずるという欠点があった。又、枚葉紙の中央部を中央ローラでクランプすることから、図１１のような装置も図９のような装置と同じく、枚葉紙の中央部がブロッキングの強弱に拘わらず全く捌けないという大きな難点があった。
【０００７】
本発明は以上のような事情に鑑みて成されたものであり、その目的は積層された枚葉紙を一枚ずつ取り出せるよう、そのブロッキングを人手を介さず確実に解消できるようにすることにある。
【０００８】
【課題を解決するための手段】
本発明は上記課題を解決するため、積層された枚葉紙の第一端部を第一ローラ対で挟みつつ、その第一ローラ対の一方を他方の軸線回りに旋回させて枚葉紙の片面側にその第一端部を反らしめ、その状態にして該第一端部に対向する枚葉紙の第二端部を第二ローラ対で挟み、この第二ローラ対の一方を他方の軸線回りに旋回させてその相互間に挟まれる枚葉紙の第二端部を前記第一端部と同面側に反らしめるとともに、その第二端部が第二ローラ対の間から全て抜け出すまで第二ローラ対の一方を他方の軸線回りに旋回させることを特徴とする枚葉紙の捌き方法を提供する。
【０００９】
又、本発明は上部ローラと下部ローラとを備える左右一対のローラユニットと、この両ローラユニットを左右方向に相対移動させてその間隔を調整可能とするユニット間隔調整機構と、両ローラユニット内でそれぞれ上部ローラ及び下部ローラを相対移動させてその間隔を調整可能とするローラ間隔調整機構と、両ローラユニットにおける上部ローラ及び下部ローラの何れか一方を他方の軸線回りに回転移動させるローラ旋回機構とを具備して成る枚葉紙の捌き装置を提供する。
【００１０】
更に、本発明はより好適な態様として、上部ローラと下部ローラとを備える左右一対のローラユニットと、この両ローラユニットをそれぞれ上下方向に移動させるためのユニット昇降機構と、両ローラユニットをそれそれ左右方向に移動させてその間隔を調整可能とするユニット間隔調整機構と、両ローラユニット内でそれぞれ下部ローラを上部ローラの半径方向に移動させて該上部ローラと下部ローラとの間隔を調整可能とするローラ間隔調整機構と、両ローラユニットの下部ローラをそれぞれ上部ローラの軸線回りに回転移動させるローラ旋回機構とを具備して成る枚葉紙の捌き装置を提供する。
【００１１】
特に、上記装置において、積層された枚葉紙を支持する左右一対の可動テーブルを備え、この可動テーブルが左右一対のローラユニットの外側を待機位置として、それぞれ上部ローラと下部ローラとの間に向けて水平移動可能に設けられるほか、その可動テーブルの上方に左右一対のキャリヤがそれぞれ左右方向に移動可能にして設けられ、そのキャリヤにそれぞれ枚葉紙の端部を保持する昇降可能なクランプが設けられることを特徴とする。
【００１２】
又、ローラ旋回機構は、下部ローラの軸線方向両側にあって該下部ローラを上部ローラの軸線回りに回転移動可能に吊支する揺動アームと、この揺動アームを揺動させるための旋回用モータとを有して構成されるとともに、ローラ間隔調整機構は下部ローラを保持する軸受台を前記揺動アームに沿って上部ローラの半径方向に移動させる送りネジと、この送りネジを回転駆動させるためのローラ間隔調整モータとを具備して構成されることを特徴とする。
【００１３】
【発明の実施の形態】
以下、本発明の適用例を図面に基づいて詳細に説明する。図１は本発明の好適な態様として係る枚葉紙の捌き装置を示した正面図であり、図２及び図３にはそれぞれ同側面図及び同平面図を示す。図中、１は構造用鋼を結合するなどして成る装置のフレームであり、このフレーム１には左右一対のローラユニット２が上下左右に移動可能にして設けられる。３はローラユニット２をそれぞれ上下方向に移動させるユニット昇降機構であり、これは一対のローラユニット２毎に別々に設けられ、それぞれ図２に示すようフレーム１上に設けられる上部枠４、その天板４Ａに取り付けられるモータ５、上部枠の壁板４Ｂに沿って鉛直状に設けられるネジ軸６、及びそのネジ軸６にモータ５の動力を伝達するギヤ群７Ａ〜７Ｄなどから構成される。
【００１４】
尚、ローラユニット２を構成する縦板８にはネジ軸６に螺合するナット９と上下移動用のガイドレール１０が固定され、ユニット昇降機構を構成する上部枠の壁板４Ｂにはネジ軸６の一端を支持する座板１１を介してガイドレール１０に摺動自在に嵌合するレール受１２が取り付けられる。
【００１５】
一方、１３はローラユニット２をそれぞれ左右方向に移動させてその間隔を調整するユニット間隔調整機構であり、これは図２及び図３で明らかなように、上部枠の壁板４Ｂ間に取り付けられる可動桁１４、フレーム１上にあって可動桁１４をローラユニット２の対向方向（左右方向）に摺動自在に支持するリニアガイド１５、このリニアガイド１５に沿って水平状に並設される一対のネジ軸１６、及びこのネジ軸１６の各一端に設けられるモータ１７などから構成される。尚、ネジ軸１６はそれぞれ別々に一方の可動桁１４にのみ螺合し、モータ１７による回転駆動によって対応するローラユニット２をユニット昇降機構３と一緒に左右方向へ水平移動させる。
【００１６】
ここで、ローラユニット２の構成を詳しく説明すると、ローラユニット２にはそれぞれ枚葉紙Ｐ（枚葉紙の積層物）の一端部を挟むための上部ローラ１８と下部ローラ１９とが平行に設けられる。このうち、上部ローラ１８はローラユニット２内の中央部定位置に取り付けられるフリーローラであり、その軸方向両端は固定アーム２０により回転自在に支持されている。一方、下部ローラ１９はモータ内蔵型の自転ローラであり、その軸方向両端は軸受台２１により回転自在に保持されている。
【００１７】
特に、本例ではローラ旋回機構として、下部ローラ１９が上部ローラ１８の軸線回りに旋回（回転移動）するようにしてある。その機構系を説明すれば、２２は下部ローラ１９を上部ローラ１８の軸線回りに回転移動可能に吊支する揺動アーム、２３は上部ローラ１８の軸線と同直線上にあって揺動アーム２２の揺動中心を成す支軸であり、この支軸２３と上部ローラ１８との間には上部ローラ１８の惰性回転を防止する制動機２４が介在される。又、支軸２３には従動ギヤ２５が回転自在にして取り付けられ、その従動ギヤ２５の表面に揺動アーム２２の上部が結合されている。２６は従動ギヤと噛み合う原動ギヤであり、この原動ギヤ２６は縦板８の間に水平状に架設される回転軸２７に取り付けられ、回転軸２７の一端側にはこれを回転駆動するモータ２８（旋回用モータ）が設けられる。そして、モータ２８の駆動により回転軸２７を通じて原動ギヤ２６及び従動ギヤ２５が回転し、これによって揺動アーム２２が上部ローラ１８の軸線と同直線回りに揺動しつつ、この揺動アーム２２で吊支される下部ローラ１９が図１のように上部ローラ１８の軸線回りに回転移動するようにしてある。尚、本例において、その回転角θは最大で１００度に設定される。
【００１８】
又、本例では上部ローラ１８と下部ローラ１９との間隔を調整するローラ間隔調整機構として、上部ローラ１８を定位置に固定しつつ、下部ローラ１９が上部ローラ１８の半径方向に移動する構成としてある。その機構系を説明すれば、図２に示すよう揺動アーム２２には、下部ローラ１９とこれを保持する軸受台２１とを上部ローラ１８の半径方向に移動させるための送りネジ２９ほか、この送りネジ２９を回転駆動させるモータ３０（ローラ間隔調整モータ）が配備される。ここで、軸受台２１は下部ローラ１９の軸端を支持する軸受ユニット３１とこれを保持する台座３２から成り、その台座３２には送りネジ２９に螺合するナット３３が固定される。送りネジ２９は、揺動アーム２２の長手方向に沿ってその内側面に回転自在に取り付けられ、その一端にはモータ３０の動力を受けるギヤ３４が設けられる。尚、送りネジ２９に代えて油圧シリンダなどの直動アクチュエータを用いることもできる。一方、モータ３５は揺動アーム２２の先端に取り付けた座板３５上に据え付けられ、その駆動軸にはギヤ３４と噛み合う駆動ギヤ３６が取り付けられる。又、図１に示すように、揺動アーム２２には送りネジ２９に平行して軸受台２１の移動案内を成すガイドレール３７が取り付けられ、軸受台の台座３２にはガイドレール３７に摺動自在に嵌合するレール受３８が取り付けられる。
【００１９】
そして、以上のようなローラ間隔調整機構によれば、モータ３０の駆動により送りネジ２９を回転駆動させつつ、その回転駆動により軸受台２１を介して下部ローラ１９を上部ローラ１８の半径方向に移動させ、上部ローラ１８と下部ローラ１９の間隔を調整することができる。
【００２０】
尚、図１で一方のローラユニット２の機構系を省略しているが、上記のような機構系はローラユニット２の双方に同様に設けられ、それぞれ個別に駆動制御できるようにしてある。
【００２１】
次に、図１において、３９は処理対象としての枚葉紙を支持する可動テーブルであり、この可動テーブル３９は左右一対のローラユニット２に対応してそれぞれフレーム１の左右両側に水平状に装置されている。特に、可動テーブル３９は上面にエアを噴出する多数の噴気孔をもつエアテーブルとされ、その長手方向両側には転動ローラ４０が設けられる。４１は可動テーブル３９を移動させるためのフィーダであり、このフィーダ４１は可動テーブル３９を左右方向に摺動自在に支持するガイドレール４２、このガイドレール４２に沿って可動テーブル３９を移動させるためのネジ軸４３、及びネジ軸４３を回転駆動させるためのモータ４４などから構成され、フィーダ４１の機枠には可動テーブル３９の先端両側部分を支持するガイドローラ４５が設けられる。
【００２２】
そして、可動テーブル３９は図１のようにローラユニット２の外側を待機位置として、それぞれモータ４４の駆動により上部ローラ１８と下部ローラ１９との間に向けて水平移動するようにしてある。尚、可動テーブル３９の相互間には支柱４６で昇降自在に支持される中間駒４７が設けられ、その中間駒４７により可動テーブル３９の各先端を支持して該可動テーブルが枚葉紙の荷重に耐え得るようにしてある。
【００２３】
一方、図１に示すように、可動テーブル３９の上方には該可動テーブルに沿ってそれぞれ左右方向に移動可能なキャリヤ４８が設けられ、そのキャリヤ４８に枚葉紙の端部を保持するクランプ４９が昇降可能に設けられている。
【００２４】
図４及び図５に示すように、本例においてクランプ４９は台枠５０に二つのシリンダ５１，５２を装置し、それらシリンダにより上下一対の締金５３，５４を個別に作動せしめてその開閉を行う構成としてある。上部側の締金５３はイケール５５の前面両側に固定されており、そのイケール５５の底面部にはシリンダ５１のロッドが接続させてある。又、下部側の締金５４は上部側の締金５３に対向してブラケット５６の各先端に固定され、そのブラケット５６を結合する連結板５７の中央部にシリンダ５２のロッドが接続してある。特に、ブラケット５６は図５のようにその一端に凹形のレール受５８を有し、台枠５０にはレール受５８を摺動自在に嵌め合わせるためのガイドレール５９が固定される。
【００２５】
そして、上記のように構成されるクランプ４９は、キャリヤ４８により上下左右に移動可能に保持される。このため、クランプ４９の台枠５０には上下移動用のガイドレール６０が取り付けられ、キャリヤの主体を成すキャリヤアーム６１にはガイドレール６０に摺動自在に嵌合するレール受６２が設けられる。６３はキャリヤアーム６１の相互間に架設される連結板であり、この連結板６３にはクランプ４９を昇降させるためのシリンダ６４が取り付けられ、そのロッドがクランプの台枠５０に接続させてある。
【００２６】
図６に示すように、フレームの上部桁１Ａにはクランプ４９を吊支したキャリヤ４８を左右方向に水平移動させるためのネジ軸６５と、これに平行するガイドレール６６が装置されており、キャリヤ４８にはネジ軸６５に螺合するナット６７ほか、ガイドレール６６に摺動自在に嵌合するレール受６８が取り付けられている。６９はネジ軸６５を回転駆動させるモータであり、このモータ６９は上部桁１Ａの中央部に固定され、その駆動軸にはプーリ７０が取り付けられている。又、ネジ軸６５の一端にもプーリ７１が取り付けられ、それらプーリ７０，７１にタイミングベルト７２が掛け回される。
【００２７】
又、図６から明らかなように、上部桁１Ａの内側には一端にハンドル７３を取り付けたネジ軸７４が通してある。ネジ軸７４はその両側に逆ネジを形成して成り、このネジ軸７４にはその回転駆動によって互いに逆向きに移動する開閉可能なアーム７５が取り付けられる。アーム７５は枚葉紙の前後のずれを防止するためのものであり、その各下端には枚葉紙の前後端面に宛てがう整形ガイド７６が設けられる。
【００２８】
ここで、以上のように構成される捌き装置を例にして、枚葉紙の捌き方法を説明する。図７はその工程図であり、同図では右方を枚葉紙の入口側、左方をその出口側とし、便宜上、入口側に属する部材に符号Ｒ、出口側に属する部材に符号Ｌを付す。先ず、図７（ａ）のように、入口側の可動テーブル３９Ｒには枚葉紙Ｐの積層物（本例において５０±１０mmの厚さに積層された裁断前の印刷物）が搭載され、その枚葉紙Ｐは可動テーブル３９Ｒ及びクランプ４９Ｒ（締金５４）により一端部が上部ローラ１８Ｒと下部ローラ１９Ｒとの間に挟まれる位置まで移動される。尚、このとき出口側の可動テーブル３９Ｌは上部ローラ１８Ｌと下部ローラ１９Ｌの間に進行して枚葉紙Ｐを待ち受ける。
【００２９】
枚葉紙Ｐの一端部が下部ローラ１９Ｒ上に差しかかると、図７（ｂ）に示すように、出口側の可動テーブル３９Ｌ上にクランプ４９Ｌ（締金５３，５４）が開放状態で進行する一方、入口側のローラユニット２Ｒが上昇しつつ出口側のローラユニット２Ｌに向けて進行する。そして、このとき下部ローラ１９Ｒが枚葉紙Ｐの下面に接触しながら回転をし、これによって枚葉紙Ｐの一端部が可動テーブル３９Ｌ上まで移動される。
【００３０】
すると、図７（ｃ）のようにクランプ４９Ｌ（締金５３，５４）が枚葉紙Ｐの一端部を挟んで保持しながら後退して、枚葉紙Ｐを可動テーブル３９Ｌの先方へと引き込み、その引き込みが完了すると、下部ローラ１９Ｒが上部ローラ１８Ｒに向けて移動しながらローラユニット２Ｒが全体に下降して、枚葉紙Ｐの一端部（第一端部）を第一ローラ対（上部ローラ１８Ｒ及び下部ローラ１９Ｒ）で挟み込む。
【００３１】
而して、図７（ｄ）のように、可動テーブル３９Ｒとクランプ４９Ｌとを後退させつつ、上部ローラ１８Ｒを定位置に固定したままその軸線回りに下部ローラ１９Ｒを旋回させ、これによって枚葉紙Ｐの一端部をその片面側（上方）に反らしめる。尚、その変形による皺寄せは図８のように他の一端部側に集中する。
【００３２】
そこで、次に図７（ｅ）に示すよう可動テーブル３９Ｌを後退させながら出口側の第二ローラ対（上部ローラ１８Ｌ及び下部ローラ１９Ｌ）により枚葉紙Ｐの他の一端部（第二端部）を挟み込む。尚、その挟み込みも下部ローラ１９Ｌを上部ローラ１８Ｌに向けて移動させつつローラユニット２Ｌを全体に降下させることにより行われる。
【００３３】
斯くて、上部ローラ１８Ｌと下部ローラ１９Ｌとで枚葉紙の一端部を挟み込んだら、図７（ｆ）に示すよう上部ローラ１８Ｌを定位置に固定したまま、その軸線回りに下部ローラ１９Ｌを旋回させ、これによって枚葉紙の一端部ｌを一端部ｒと同面側（上方）に反らしめる。そして、下部ローラ１９Ｌが可動テーブル３９Ｌに干渉しない位置まで旋回したら、図７（ｇ）に示すよう下部ローラ１９Ｌの旋回を続行しながら可動テーブル３９Ｌを進行させる。特に、下部ローラ１９Ｌは枚葉紙の一端部が上部ローラ１８Ｌとの間から全て抜け出るまで旋回させ、その下部ローラ１９Ｌが枚葉紙の一端部の端面に差し掛かったときには、これを上部ローラ１８Ｌに向けて移動させて上部ローラ１８Ｌとの間隔を徐々に狭めつつ、枚葉紙の端面ｌ１には図示せぬノズルからエアーを吹き付ける。これにより、枚葉紙はその一端部ｌが一枚ずつ分離され、これが図７（ｈ）に示すよう上部ローラ１８Ｌと下部ローラ１９Ｌとの間から可動テーブル３９Ｌ上に一枚ずつ順に集積される。そこで、次に図７（ｉ）に示すよう入口側の下部ローラ１９Ｒを初期位置まで旋回させるのであるが、このとき上部ローラ１８Ｌ，１８Ｒの間で枚葉紙Ｐは入口側の可動テーブル３９Ｒで支持されることなく中央部分が下方へ湾曲するようになる。よって、この時点で枚葉紙Ｐの中央部分もブロッキングが完全に解消されることになる。
【００３４】
尚、その後、入口側と出口側を逆にして同様の工程を繰り返す。つまり、出口側の上部ローラ１８Ｒと下部ローラ１９Ｒで枚葉紙の一端部ｌを挟み、これを上方に反らしめ、その状態にして入口側の上部ローラ１８Ｌと下部ローラ１９Ｌで枚葉紙の一端部ｒを挟み、これを同じく上方に反らしめつつ、下部ローラ１９Ｒの旋回を続行して枚葉紙の一端部ｒを一枚ずつ捌いて可動テーブル３９Ｒ上に集積させるのであり、これによって枚葉紙のブロッキングを確実に解消することができる。
【００３５】
以上、本発明の好適な態様を説明したが、本発明は上記例に限らず、下部ローラを固定側とし、上部ローラが下部ローラの半径方向に移動したり下部ローラの軸線回りに回転移動するようにして、枚葉紙の両端部を下方に反らしめるようにしてもよい。又、上記例ではローラユニットが相互間の間隔を調整するようそれぞれ左右動向に移動するようにしたが、その一方のみを左右に移動させる構成としても良い。更に、ユニット昇降機構に代えて可動テーブルが昇降する構成としたり、その可動テーブルに枚葉紙を移送する機能を持たせてキャリヤやクランプを省略することもできる。
【００３６】
【発明の効果】
以上の説明から明らかなように、本発明によれば上部ローラと下部ローラで成る二組のローラ対を備え、その一方が他方の軸線回りに旋回するようにしていることから枚葉紙に大きな変形量を与えてそのブロッキングを確実に解消できる。
【００３７】
特に、枚葉紙の一端部を上部ローラと下部ローラで反らしめ、その状態で他の一端部を別の上部ローラと下部ローラで反らしめながら捌くようにしているので、従来のように枚葉紙全体を湾曲させるものに比べ、枚葉紙の中央部分に変形による皺寄せが生ずることがなく、人手で捌くときのように枚葉紙をその一端部側から一枚ずつ良好に分離させことができ、手捌きと同様な効果が得られる上、人的負担がなく捌き効率も大幅に向上する。
【００３８】
又、上部ローラと下部ローラを備える左右一対のローラユニットが間隔調整可能とされ、且つ上部ローラと下部ローラの間隔も調整可能とされることから、様々な大きさ、厚さの枚葉紙に対応できる。
【００３９】
更に、枚葉紙を支持する左右一対の可動テーブルを備えていることから、上部ローラと下部ローラで枚葉紙の一端部を挟んで反らしめた後、他の一端部を別の上部ローラと下部ローラとで挟むまでの間、その一端部を解放状態のまま支持することができる。
【図面の簡単な説明】
【図１】本発明に係る枚葉紙の捌き装置を示す正面概略図
【図２】同装置の側面概略図
【図３】同装置の平面概略図
【図４】クランプの断面図
【図５】同クランプを部分的に破断して示した平面概略図
【図６】同クランプの取付状態を示す部分拡大図
【図７】本願装置による枚葉紙の捌き方法を順に示した工程図
【図８】枚葉紙の一端部を湾曲させた状態を示す概略図
【図９】従来装置を示す概略図
【図１０】図９の従来装置で枚葉紙を湾曲させた状態を示す概略図
【図１１】他の従来装置を示す概略図
【符号の説明】
１  フレーム
２  左右一対のローラユニット
３  ユニット昇降機構
１３  ユニット間隔調整機構
１８  上部ローラ
１９  下部ローラ
２１  軸受台
２２  揺動アーム
２８  旋回用モータ
２９  送りネジ
３０  ローラ間隔調整モータ
３９  可動テーブル
４８  キャリヤ
４９  クランプ
５３，５４  締金
６１  キャリヤアーム
【図１】
0003839310.tif 000002
【図２】
0003839310.tif 000003
【図３】
0003839310.tif 000004
【図４】
0003839310.tif 000005
【図５】
0003839310.tif 000006
【図６】
0003839310.tif 000007
【図７】
0003839310.tif 000008
【図８】
0003839310.tif 000009
【図９】
0003839310.tif 000010
【図１０】
0003839310.tif 000011
【図１１】
0003839310.tif 000012